【手続補正書】
【提出日】平成16年1月19日(2004.1.19)
【手続補正１】
【補正対象書類名】明細書
【補正対象項目名】発明の名称
【補正方法】変更
【補正の内容】
【発明の名称】電子透かし埋め込み装置、および、電子透かし埋め込み方法
【手続補正２】
【補正対象書類名】明細書
【補正対象項目名】特許請求の範囲
【補正方法】変更
【補正の内容】
【特許請求の範囲】
【請求項１】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしを埋め込もうとする該画像データの情報量を検出して画像情報量信号を出力する画像情報量検出手段を有し、
前記電子透かし埋め込み手段は、前記画像情報量信号に応じて電子透かしデータを該画像データに埋め込む量を制御することを特徴とする電子透かし埋め込み装置。
【請求項２】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしが埋め込まれた該画像データの情報量を検出して画像情報量信号を出力する画像情報量検出手段を有し、
前記電子透かし埋め込み手段は、前記画像情報量信号に応じて電子透かしデータを画像データに埋め込む量を制御することを特徴とする電子透かし埋め込み装置。
【請求項３】
請求項１または２に記載の電子透かし埋め込み装置において、
前記電子透かし埋め込み手段は、前記画像情報量信号に応じて、特定の空間周波数成分の電子透かしデータの埋め込む量を制御することを特徴とする電子透かし埋め込み装置。
【請求項４】
請求項１−３の何れかに記載の電子透かし埋め込み装置において、
前記電子透かし埋め込み手段は、前記画像情報量信号の示す画像情報量が増加した場合に該電子透かし信号の埋め込む量を所定の範囲内で増加させることを特徴とする電子透かし埋め込み装置。
【請求項５】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしを埋め込もうとする該画像データの情報量を検出して画像情報量信号を出力する画像情報量検出手段を有し、
前記電子透かし埋め込み手段は、前記画像情報量信号に応じて電子透かしデータを該画像データに埋め込む位置を制御することを特徴とする電子透かし埋め込み装置。
【請求項６】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしが埋め込まれた該画像データの情報量を検出して画像情報量信号を出力する画像情報量検出手段を有し、
該電子透かし埋め込み手段は、前記画像情報量信号に応じて電子透かしデータを該画像データに埋め込む位置を制御することを特徴とする電子透かし埋め込み装置。
【請求項７】
請求項５または６に記載の電子透かし埋め込み装置において、
前記電子透かし埋め込み手段は、前記画像情報量信号に応じて、特定の空間周波数成分の電子透かしデータの埋め込む位置を制御することを特徴とする電子透かし埋め込み装置。
【請求項８】
請求項５−７の何れかに記載の電子透かし埋め込み装置において、
前記電子透かし埋め込み手段は、前記画像情報量信号の示す画像情報量が変化した場合に該電子透かし信号の埋め込み位置を変化させることを特徴とする電子透かし埋め込み装置。
【請求項９】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしを埋め込もうとする該画像データの情報量を検出して画像情報量信号を出力する画像情報量検出手段を有し、
前記電子透かし埋め込み手段は、前記画像情報量信号に応じて電子透かしデータを該画像データに埋め込む強度を制御することを特徴とする電子透かし埋め込み装置。
【請求項１０】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
電子透かしが埋め込まれた該画像データの情報量を検出して画像情報量信号を出力する画像情報量検出手段を有し、
該電子透かし埋め込み手段は、前記画像情報量信号に応じて電子透かしデータを該画像データに埋め込む強度を制御することを特徴とする電子透かし埋め込み装置。
【請求項１１】
請求項９または１０に記載の電子透かし埋め込み装置において、
前記電子透かし埋め込み手段は、前記画像情報量信号に応じて、特定の空間周波数成分の電子透かしデータの埋め込む強度を制御することを特徴とする電子透かし埋め込み装置。
【請求項１２】
請求項９−１１の何れかに記載の電子透かし埋め込み装置において、
前記電子透かし埋め込み手段は、前記画像情報量信号の示す画像情報量が増加した場合に該電子透かし信号の埋め込み強度を所定の範囲内で増加させることを特徴とする電子透かし埋め込み装置。
【請求項１３】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
該画像データをMPEG2フォーマットに変換するためのフォーマット変換手段と、
MPEG2フォーマットに変換された該画像データの情報量を検出して画像情報量信号を出力する画像情報量検出手段を有し、
前記電子透かし埋め込み手段は、前記画像情報量信号に応じて、電子透かしデータを埋め込む量または埋め込む強度の少なくとも１つを制御することを特徴とする電子透かし埋め込み装置。
【請求項１４】
画像データに電子透かしを埋め込む処理を行う電子透かし埋め込み装置であって、
該画像データに埋め込むための電子透かしデータを作成する電子透かしデータ作成手段と、
該電子透かしデータを該画像データに埋め込むための電子透かし埋め込み手段と、
該画像データをMPEG2フォーマットに変換するためのフォーマット変換手段と、
MPEG2フォーマットに変換された該画像データの情報量を検出して画像情報量信号を出力する画像情報量検出手段を有し、
前記電子透かし埋め込み手段は、該画像情報量信号を用いて、該画像データのもつ空間周波数成分のうち高周波成分の量子化ステップを検知して、該電子透かし埋め込み量または埋め込み強度の少なくとも１つを制御することを特徴とする電子透かし埋め込み装置。
【請求項１５】
画像データに電子透かしを埋め込む電子透かし埋め込み方法であって、
該画像データに埋め込むための電子透かしデータを作成し、
該電子透かしデータを該画像データに埋め込み、
該電子透かしデータが埋め込まれた画像データをMPEG2フォーマットに変換し、
該MPEG2フォーマットに変換された画像データの情報量を検出し、
該画像データの情報量に応じて電子透かしデータを埋め込む量または埋め込む強度の少なくとも１つを制御することを特徴とする電子透かし埋め込み方法。
【請求項１６】
画像データに電子透かしを埋め込む電子透かし埋め込み方法であって、
画像データに埋め込むための電子透かしデータを作成し、
該電子透かしデータを該画像データに埋め込み、
該電子透かしデータが埋め込まれた画像データをMPEG2フォーマットに変換し、
該MPEG2フォーマットに変換された該画像データの情報量を検出し、
該画像データの情報量を用いて、該画像データのもつ空間周波数成分のうち高周波成分の量子化ステップを検知して、該電子透かし埋め込み量または埋め込み強度の少なくとも１つを制御することを特徴とする電子透かし埋め込み方法。